(57)【要約】【課題】  熱交換器の漏れ異常を的確に判別する。【解決手段】  給湯用湯水をその給湯用湯水よりも低圧の熱媒との熱交換用の熱交換器６を通過させる状態で循環路４を通して循環させる循環手段３１と、膨張タンク４１内の熱媒を熱交換器６を通過させる状態で熱媒循環路３７，３８を通して循環させる熱媒循環手段３９と、運転を制御する運転制御手段とが設けられ、運転制御手段は、膨張タンク４１の熱媒の貯留量の異常上昇が発生すると、熱媒循環手段３９を運転させて、その運転状態における膨張タンク４１内の熱媒の貯留量の変化に基づいて、熱交換器６の漏れ異常か否かを判別するように構成されている。【選択図】        図１
2004251888.tif 000002
【特許請求の範囲】
【請求項１】
給湯用湯水をその給湯用湯水よりも低圧の熱媒との熱交換用の熱交換器を通過させる状態で循環路を通して循環させる循環手段と、膨張タンク内の熱媒を前記熱交換器を通過させる状態で熱媒循環路を通して循環させる熱媒循環手段と、運転を制御する運転制御手段とが設けられている熱媒供給設備であって、
前記運転制御手段は、前記膨張タンクの熱媒の貯留量の異常上昇が発生すると、前記熱媒循環手段を運転させて、その運転状態における前記膨張タンク内の熱媒の貯留量の変化に基づいて、前記熱交換器の漏れ異常か否かを判別するように構成されている熱媒供給設備。
【請求項２】
給湯用湯水をその給湯用湯水よりも低圧の熱媒との熱交換用の熱交換器を通過させる状態で循環路を通して循環させる循環手段と、膨張タンク内の熱媒を前記熱交換器を通過させる状態で熱媒循環路を通して循環させる熱媒循環手段と、運転を制御する運転制御手段とが設けられている熱媒供給設備であって、
前記運転制御手段は、設定時間が経過するごとに前記熱媒循環手段を運転させて、その運転後から次回運転させるまでの間に、前記膨張タンクの熱媒の貯留量の異常上昇が発生すると、前記熱交換器の漏れ異常と判別するように構成されている熱媒供給設備。
【発明の詳細な説明】
【技術分野】
【０００１】
本発明は、給湯用湯水をその給湯用湯水よりも低圧の熱媒との熱交換用の熱交換器を通過させる状態で循環路を通して循環させる循環手段と、膨張タンク内の熱媒を前記熱交換器を通過させる状態で熱媒循環路を通して循環させる熱媒循環手段と、運転を制御する運転制御手段とが設けられている熱媒供給設備に関する。
【背景技術】
【０００２】
上記のような熱媒供給設備は、運転制御手段が、循環手段と熱媒循環手段とを運転させることにより、熱交換器において給湯用湯水と熱媒とを熱交換させて、加熱手段にて加熱された給湯用湯水にて熱媒を加熱したり、逆に、加熱手段にて加熱された熱媒にて給湯用湯水を加熱するようにしているものである。
【０００３】
上記のような熱媒供給設備において、従来では、加熱手段として、熱電併給装置の排熱により加熱させる排熱用熱交換器や、バーナの燃焼により加熱させる補助加熱装置が設けられ、循環手段が、加熱手段にて加熱された給湯用湯水を貯湯タンクに貯湯する貯湯状態と、加熱手段にて加熱された給湯用湯水を熱交換器に供給する熱源状態とに切換可能に構成されている。
そして、運転制御手段が、熱媒循環手段を運転させるとともに、循環手段を熱源状態にて運転させることにより、熱交換器において給湯用湯水にて熱媒を加熱させて、その加熱された熱媒を床暖房装置や浴室暖房装置などの端末に供給するようにしている（例えば、特許文献１参照。）。
【０００４】
【特許文献１】特開２００１−２４８９０９号公報
【発明の開示】
【発明が解決しようとする課題】
【０００５】
上記従来の熱媒供給設備では、熱交換器の破損や腐食によって熱交換器の漏れ異常が発生すると、熱交換器において、熱媒が給湯用湯水よりも低圧であれば、給湯用湯水が熱媒循環路側に流入することになり、逆に、熱交換器において、給湯用湯水が熱媒よりも低圧であれば、熱媒が循環路側に流入することになる。
そして、熱媒が循環路側に流入することになると、熱媒が給湯用湯水に混じることとなって、熱媒が混じった給湯用湯水が給湯されることになり、汚れた給湯用湯水が給湯されてしまうことになる。
【０００６】
したがって、上記従来の熱媒供給設備では、上述の不利を解消するために、加熱手段や貯湯タンクの設置位置を熱交換器の設置位置よりも高くすることによって、熱交換器において、熱媒を給湯用湯水よりも低圧にして、熱交換器の漏れ異常が発生したときに、給湯用湯水が熱媒循環路側に流入することを許容しても、熱媒が循環路側に流入することを阻止している。
【０００７】
このように、上記従来の熱媒供給設備では、熱交換器の漏れ異常が発生すると、給湯用湯水が熱媒循環路側に流入することを許容しているので、その給湯用湯水の熱媒循環路側への流入により、膨張タンク内の熱媒の貯留量が増加して、膨張タンク内の熱媒の貯留量が設定量よりも多量となったり、膨張タンクから熱媒が漏れる膨張タンクの熱媒の貯留量の異常上昇が発生することになる。
そこで、上記従来の熱媒供給設備では、膨張タンクの熱媒の貯留量の異常上昇が発生するか否かを監視し、膨張タンクの熱媒の貯留量の異常上昇の発生を検出することによって、熱交換器の漏れ異常が発生していると判別していた。
【０００８】
しかしながら、上記従来の熱媒供給設備では、熱媒循環経路中への空気の入り込みによって、膨張タンク内の熱媒の貯留量が増加して、膨張タンクの熱媒の貯留量の異常上昇が発生することがあるので、膨張タンクの熱媒の貯留量の異常上昇が発生する原因としては、熱交換器の漏れ異常の他に、熱媒循環経路中への空気の入り込みの場合もある。
したがって、単純に、膨張タンクの熱媒の貯留量の異常上昇の発生を検出することにより、熱交換器の漏れ異常と判別するだけでは、熱交換器の漏れ異常が発生していないにもかかわらず、熱交換器の漏れ異常が発生していると判別してしまうことになる。
【０００９】
ちなみに、熱媒循環経路中への空気の入り込みについて説明を加えると、熱媒循環路中の配管としては樹脂管などが用いられるが、この樹脂管は、空気の通過を完全に阻止できるものではないので、熱媒循環路中の配管を通して熱媒循環経路中に空気が入り込むことになる。
また、とくに、熱交換器の設置位置よりも高い位置に熱媒を供給する端末を設置した場合には、端末から熱交換器への熱媒循環経路中が負圧状態となるので、その負圧状態によって熱媒循環経路中に空気が入り込むことになる。
【００１０】
本発明は、かかる点に着目してなされたものであり、その目的は、熱交換器の漏れ異常を的確に判別することができる熱媒供給設備を提供する点にある。
【課題を解決するための手段】
【００１１】
この目的を達成するために、本発明にかかる熱媒供給設備の第１特徴構成は、給湯用湯水をその給湯用湯水よりも低圧の熱媒との熱交換用の熱交換器を通過させる状態で循環路を通して循環させる循環手段と、膨張タンク内の熱媒を前記熱交換器を通過させる状態で熱媒循環路を通して循環させる熱媒循環手段と、運転を制御する運転制御手段とが設けられている熱媒供給設備において、
前記運転制御手段は、前記膨張タンクの熱媒の貯留量の異常上昇が発生すると、前記熱媒循環手段を運転させて、その運転状態における前記膨張タンク内の熱媒の貯留量の変化に基づいて、前記熱交換器の漏れ異常か否かを判別するように構成されている点にある。
【００１２】
すなわち、運転制御手段は、膨張タンクの熱媒の貯留量の異常上昇が発生すると、熱媒循環手段を運転させるので、その熱媒循環手段の運転により、熱媒循環経路中に入り込んだ空気を熱媒とともに大気開放式の膨張タンクに戻して、熱媒循環経路中に入り込んだ空気を抜くことができることになる。
したがって、熱媒循環経路中への空気の入り込みにより膨張タンクの熱媒の貯留量の異常上昇が発生した場合には、熱媒循環手段を運転させることによって、熱媒循環経路中に入り込んだ空気が抜けて、熱媒循環手段の運転状態における膨張タンク内の熱媒の貯留量が下降することになる。
それに対して、熱交換器の漏れ異常により膨張タンクの熱媒の貯留量の異常上昇が発生した場合には、熱媒循環手段を運転させても、給湯用湯水の熱媒循環路側への流入が継続されることになるので、熱媒循環手段の運転状態における膨張タンク内の熱媒の貯留量は下降しないことになる。
その結果、熱媒循環経路中への空気の入り込みにより膨張タンクの熱媒の貯留量の異常上昇が発生した場合と熱交換器の漏れ異常により膨張タンクの熱媒の貯留量の異常上昇が発生した場合とでは、熱媒循環手段を運転させた状態における膨張タンク内の熱媒の貯留量の変化に差が生じることになる。
【００１３】
したがって、運転制御手段は、膨張タンクの熱媒の貯留量の異常上昇が発生すると、熱媒循環手段を運転させて、その運転状態における膨張タンク内の熱媒の貯留量の変化を監視しているので、膨張タンク内の熱媒の貯留量の変化に基づいて、熱媒循環経路中への空気の入り込みにより膨張タンクの熱媒の貯留量の異常上昇が発生した場合と、熱交換器の漏れ異常により膨張タンクの熱媒の貯留量の異常上昇が発生した場合とを区別することができることになる。
【００１４】
以上のことから、熱媒循環経路中への空気の入り込みの場合と区別して、熱交換器の漏れ異常を的確に判別することができることとなって、熱交換器の漏れ異常を的確に判別することができる熱媒供給設備を提供できるに至った。
【００１５】
本発明にかかる熱媒供給設備の第２特徴構成は、給湯用湯水をその給湯用湯水よりも低圧の熱媒との熱交換用の熱交換器を通過させる状態で循環路を通して循環させる循環手段と、膨張タンク内の熱媒を前記熱交換器を通過させる状態で熱媒循環路を通して循環させる熱媒循環手段と、運転を制御する運転制御手段とが設けられている熱媒供給設備において、
前記運転制御手段は、設定時間が経過するごとに前記熱媒循環手段を運転させて、その運転後から次回運転させるまでの間に、前記膨張タンクの熱媒の貯留量の異常上昇が発生すると、前記熱交換器の漏れ異常と判別するように構成されている点にある。
【００１６】
すなわち、運転制御手段は、設定時間が経過するごとに熱媒循環手段を運転させるので、その熱媒循環手段の運転により、熱媒循環経路中に入り込んだ空気を熱媒とともに大気開放式の膨張タンクに戻して、設定時間が経過するごとに熱媒循環経路中に入り込んだ空気を抜くことができることになる。
そして、熱媒循環経路中への空気の入り込みにより膨張タンクの熱媒の貯留量の異常上昇が発生するまでの時間よりも短い時間を設定時間と設定することによって、熱媒循環経路中への空気の入り込みにより膨張タンクの熱媒の貯留量の異常上昇が発生する前に、熱媒循環手段を運転させて熱媒循環経路中に入り込んだ空気を抜くことができることになる。
したがって、運転制御手段は、設定時間が経過するごとに熱媒循環手段を運転させることによって、膨張タンクの熱媒の貯留量の異常上昇が発生する原因として、熱媒循環経路中への空気の入り込みを排除した状態において、膨張タンクの熱媒の貯留量の異常上昇が発生しているか否かによって、熱交換器の漏れ異常か否かを判別できることになる。
【００１７】
以上のことから、膨張タンクの熱媒の貯留量の異常上昇が発生する原因として、熱媒循環経路中への空気の入り込みを排除した状態において、膨張タンクの熱媒の貯留量の異常上昇の発生により、熱交換器の漏れ異常か否かを判別することができることとなって、熱交換器の漏れ異常を的確に判別することができる熱媒供給設備を提供できるに至った。
【発明を実施するための最良の形態】
【００１８】
本発明にかかる熱媒供給設備をコージェネレーションシステムに適応させた例を図面に基づいて説明する。
〔第１実施形態〕
このコージェネレーションシステムは、図１および図２に示すように、ガスエンジンによって発電機を駆動するように構成された熱電併給装置１と、その熱電併給装置１の排熱を利用しながら、貯湯、給湯および暖房を行う貯湯ユニット２と、熱電併給装置１と貯湯ユニット２の運転を制御する運転制御手段としての運転制御部Ｈなどから構成されている。
【００１９】
前記貯湯ユニット２は、給湯用湯水を貯湯する貯湯タンク３、貯湯タンク３内の給湯用湯水を循環するための循環路４、循環路４を通流する給湯用湯水を加熱する加熱手段５、循環路４を通流する給湯用湯水と端末供給用の熱媒との熱交換用の熱交換器としての暖房用熱交換器６、循環路４を通流する給湯用湯水にて浴槽１８内の湯水を加熱させる追焚用熱交換器７などから構成されている。
【００２０】
前記貯湯タンク３内には、その湯温を検出することにより貯湯量を検出するサーミスタＳが複数設けられ、貯湯タンク３には、その底部から貯湯タンク３に水道水圧を用いて給水する給水路８が接続され、その上部から給湯するための給湯路９が接続され、使用された量だけの水を給水路８から貯湯タンク３に給水するように構成されている。
ちなみに、給湯路９には、オーバーフロー路５５が接続され、そのオーバーフロー路５５にバキュームブレーカ５６が設けられている。
【００２１】
前記給湯路９には、給水路８から分岐された混合用給水路１０が接続され、その接続箇所に給湯路９からの湯水と混合用給水路１０からの水との混合比を調整自在なミキシングバルブ１１が設けられている。
前記給水路８と混合用給水路１０との分岐箇所には、給水温度を検出する給水サーミスタ１２が設けられている。
【００２２】
また、給湯路９におけるミキシングバルブ１１よりも上流側には、貯湯タンク３の上部から給湯路９に給湯された湯水の温度を検出する貯湯出口サーミスタ１３が設けられ、給湯路９におけるミキシングバルブ１１よりも下流側には、ミキシングバルブ７にて混合された湯水の温度を検出するミキシングサーミスタ１４および流量制御弁１５が設けられている。
【００２３】
前記給湯路９におけるミキシングサーミスタ１４および流量制御弁１５の配設箇所よりも下流側が、台所や洗面所などの図外の給湯栓に給湯する一般給湯路１６と、浴槽１８に湯水を供給するための湯張り路１７とに分岐されている。
そして、湯張り路１７が浴槽１８からの風呂戻り路１９に接続され、風呂戻り路１９および風呂往き路２０の両路を通して浴槽１８に湯水を供給するようにしている。
前記一般給湯路１６には、一般給湯路１６を通流する湯水の流量を検出する給湯流量センサ２１が設けられ、湯張り路１７には、湯張り路１７を通流する湯水の流量を検出する湯張り流量センサ２２、湯張り電磁弁２３、バキュームブレーカ２４、湯張り逆止弁２５が上流側から順に設けられている。
【００２４】
給湯操作手段Ｋが、貯湯出口サーミスタ１３、給水サーミスタ１２、ミキシングバルブ１１、ミキシングサーミスタ１４、および、湯張り電磁弁２３などにより構成されている。
【００２５】
前記循環路４と貯湯タンク３とが、循環路４を通流する給湯用湯水を貯湯タンク３内に戻す、または、貯湯タンク３内の給湯用湯水を循環路４に取り出すために、貯湯タンク３の上部と底部の合計２箇所で連通接続されている。
そして、貯湯タンク３の上部には、循環路４の給湯用湯水を貯湯タンク３内に供給するための貯湯路２６が連通接続され、その貯湯路２６には、貯湯開閉弁２７が設けられている。
また、貯湯タンク３の底部には、貯湯タンク３内の給湯用湯水を循環路４に取り出すための取り出し路２８が連通接続され、その取り出し路１８と循環路４との接続箇所に三方弁２９が設けられている。
【００２６】
そして、循環路４には、給湯用湯水の循環方向の順に、循環路４の湯水の循環量を検出する循環流量センサ３０、循環手段としての循環ポンプ３１、加熱手段５、循環路４の給湯用湯水の循環量を調整する循環流量調整バルブ３２、加熱手段５にて加熱された給湯用湯水の温度を検出する加熱温サーミスタ３３、給湯用湯水の通流を断続する断続弁３４、暖房用熱交換器６、追焚用熱交換器７が設けられている。
【００２７】
給湯用湯水循環手段Ｅが、循環路４、循環ポンプ３１、循環流量センサ３０、循環流量調整バルブ３２、加熱温サーミスタ３３、貯湯開閉弁２７、および、断続弁３４などにより構成されている。
そして、給湯用湯水循環手段Ｅは、貯湯タンク３から取り出した給湯用湯水を加熱手段５にて加熱したのち、貯湯タンク３に貯湯したり、加熱手段５にて加熱した給湯用湯水を暖房用熱交換器６および追焚用熱交換器７に供給して、暖房用熱交換器６および追焚用熱交換器７を通過した給湯用湯水を加熱手段５に戻すように構成されている。
【００２８】
前記加熱手段５は、熱電併給装置１におけるガスエンジンの冷却水により給湯用湯水を加熱する排熱式熱交換器５ａと、バーナの燃焼により給湯用湯水を加熱する補助加熱手段５ｂとから構成されている。
前記排熱式熱交換器５ａは、熱電併給装置１の運転中に、冷却水循環ポンプ３５を作動させて、冷却水用膨張タンク５４内のガスエンジンの冷却水を冷却水循環路３６を通して排熱式熱交換器５ａに供給させて、循環路４を通流する給湯用湯水を加熱するように構成されている。
前記補助加熱手段５ｂは、図示はしないが、ガス燃焼式のバーナおよびこのバーナに燃焼用空気を供給するファンなどが設けられ、バーナの燃焼により循環路４を通流する給湯用湯水を加熱し、ファンの回転速度およびバーナへの燃料ガス供給量を調整して、補助加熱手段５ｂにて加熱後の給湯用湯水の温度を調整するように構成されている。
【００２９】
前記暖房用熱交換器６には、暖房戻り路３７および暖房往き路３８が接続され、暖房ポンプ３９を作動させることにより、暖房戻り路３７および暖房往き路３８を通して循環する端末供給用の熱媒を通過させて、加熱手段５にて加熱された給湯用湯水にて端末供給用の熱媒を加熱させるように構成されている。
【００３０】
前記暖房戻り路３７には、熱媒の循環方向の上流側から順に、暖房戻り路３７の熱媒の温度を検出する暖房戻りサーミスタ４０、大気開放式の膨張タンク４１、暖房ポンプ３９が設けられ、暖房往き路３８には、暖房往き路３７の熱媒の温度を検出する暖房往きサーミスタ４２が設けられている。
また、暖房戻り路３７と暖房往き路３８とが、バイパス路４３にて連通接続されている。
【００３１】
前記暖房ポンプ３９を作動させることにより、膨張タンク４１内の熱媒を暖房用熱交換器６を通過させる状態で暖房往き路３８および暖房戻り路３７を通して端末Ｔに循環供給するように構成され、熱媒循環路が、熱媒戻り路３７および熱媒往き路３８により構成され、熱媒供給手段が、暖房ポンプ３９により構成されている。
また、前記端末Ｔは、詳述はしないが、床暖房装置や浴室乾燥暖房装置など供給される熱媒にて暖房を行う暖房端末にて構成されている。
【００３２】
そして、暖房用熱交換器６は膨張タンク４１よりも低い位置に設けられているので、膨張タンク４１をできる限り低く設定するようにし、断水時にバキュームブレーカ５６を作動させ、タンクヘッドにより暖房戻り路３７と暖房往き路３８とからなる熱媒循環路や冷却水循環路３６を、循環路４よりも低圧になるように構成されている。
【００３３】
前記膨張タンク４１には、貯留している熱媒の水位の上限を検出する上限センサ４４および下限を検出する下限センサ４５が設けられ、膨張タンク４１の最上部には、膨張タンク４１内の熱媒の貯留量が設定量よりも多量となったり、膨張タンク４１から熱媒が漏れる膨張タンク４１の熱媒の貯留量の異常上昇を検出する水位オーバーセンサ４６が設けられている。
また、膨張タンク４１には、給水路８から分岐させて膨張タンク４１に給水するためのタンク給水路４７が接続され、そのタンク給水路４７には、補給水電磁弁４８が設けられている。
そして、下限センサ４５にて熱媒の水位が下限となると、上限センサ４４にて熱媒の水位が上限となるまで補給水電磁弁４８を開弁させて、膨張タンク４１へ熱媒を補給するように構成されている。
【００３４】
暖房操作手段Ｊが、暖房戻りサーミスタ４０、暖房往きサーミスタ４２、暖房ポンプ３９、上限センサ４４、下限センサ４５、水位オーバーセンサ４６、および、補給水電磁弁４８などにより構成されている。
【００３５】
前記追焚用熱交換器７には、風呂戻り路１９および風呂往き路２０が接続され、風呂ポンプ４９を作動させることにより、風呂戻り路１９および風呂往き路２０を通して循環する浴槽１８内の湯水を通過させて、加熱手段５にて加熱された給湯用湯水にて浴槽１８内の湯水を加熱させるように構成されている。
【００３６】
前記風呂戻り路１９には、浴槽１８内の湯水の循環方向の上流側から順に、浴槽１８内の湯水の水位を検出する水位センサ５０、風呂戻り路１９の湯水の温度を検出する風呂戻りサーミスタ５１、二方弁５２、風呂ポンプ４９、風呂水流スイッチ５３が設けられている。
風呂操作手段Ｆが、水位センサ５０、風呂戻りサーミスタ５１、風呂ポンプ４９などにより構成されている。
【００３７】
前記運転制御部Ｈは、図２に示すように、リモコンＲの指令などに基づいて、熱電併給装置１の運転および冷却水循環ポンプ３５の作動を制御するとともに、給湯用湯水循環手段Ｅ、給湯操作手段Ｋ、風呂操作手段Ｆ、暖房操作手段Ｊ、および、加熱手段５の作動を制御することによって、貯湯タンク３内に給湯用湯水を貯湯する貯湯運転、給湯栓や浴槽１８に所望の湯水を供給する給湯運転、端末Ｔに熱媒を供給する暖房運転、浴槽１８内の湯水を追焚きする追焚運転などの夫々の運転を実行するように構成されている。
【００３８】
以下、各運転について説明を加える。
前記貯湯運転は、断続弁３４を開弁させかつ貯湯開閉弁２７を開弁させた状態で、循環ポンプ３１を作動させて、貯湯タンク３の底部から給湯用湯水を循環路４に取出し、加熱手段５にて所望の温度に加熱したのち、貯湯路２６を通して貯湯タンク３の上部に供給するように構成されている。
そして、この貯湯運転は、熱電併給装置１の運転中に行われ、冷却水循環ポンプ３５の作動により熱電併給装置１の排熱を利用して、排熱式熱交換器５ａにて加熱された給湯用湯水を貯湯タンク３に貯湯するように構成されている。
【００３９】
前記給湯運転は、給湯栓が開操作されたり、湯張り要求が指令されると開始され、貯湯タンク３内に貯湯されている給湯用湯水を取り出して、その給湯用湯水に水を混合させて所望の温度の給湯用湯水を給湯栓や浴槽１８に供給するように構成されている。
また、貯湯タンク３内に給湯用湯水が貯湯されていない場合などには、補助加熱手段５ｂにて給湯用湯水を加熱させる状態で上述の貯湯運転を行い、補助加熱手段５ｂにて加熱された給湯用湯水に水を混合させて所望の温度の給湯用湯水を給湯栓や浴槽１８に供給するように構成されている。
【００４０】
前記暖房運転は、循環ポンプ３１を作動させて、加熱手段５にて加熱された給湯用湯水を暖房用熱交換器６を通過させるとともに、暖房ポンプ３９を作動させて、膨張タンク４１内の熱媒を暖房用熱交換器６を通過させる状態で暖房往き路３８および暖房戻り路３７を通して端末Ｔに循環供給するように構成されている。
また、この暖房運転では、加熱温サーミスタ３３の検出温度が、例えば、６５〜７０℃になるように、貯湯開閉弁２７と断続弁３４の開度を調整するようにしている。
【００４１】
そして、この暖房運転では、熱電併給装置１が運転中であると、冷却水循環ポンプ３５の作動により熱電併給装置１の排熱を利用して、排熱式熱交換器５ａにて給湯用湯水を加熱させて、その加熱された給湯用湯水を暖房用熱交換器６に供給するように構成されている。
このように熱電併給装置１の排熱を利用している場合には、排熱式熱交換器５ａにて給湯用湯水を加熱することにより端末Ｔで要求されている暖房負荷以上を賄うことができると、加熱温サーミスタ３３の検出温度が貯湯設定温度になるように、貯湯開閉弁２７と断続弁３４とを開弁状態で開度調整する。
また、熱電併給装置１が運転されていない場合や、排熱式熱交換器５ａにて給湯用湯水を加熱するだけでは端末Ｔで要求されている暖房負荷を賄えない場合には、貯湯開閉弁２７を閉弁しかつ断続弁３４を開弁させ、補助加熱手段５ｂにより給湯用湯水を加熱させて、その加熱された給湯用湯水を暖房用熱交換器６に供給して、端末Ｔで要求されている暖房負荷を賄うように構成されている。
【００４２】
前記追焚運転は、循環ポンプ３１を作動させて、加熱手段５にて加熱された給湯用湯水を追焚用熱交換器７を通過させるとともに、風呂ポンプ４９を作動させて、浴槽１８内の湯水を追焚用熱交換器７を通過させる状態で風呂戻り路１９および風呂往き路２０を通して循環させるように構成されている。
また、この追焚運転では、加熱温サーミスタ３３の検出温度が、例えば、６５〜７０℃になるように、貯湯開閉弁２７と断続弁３４の開度を調整するようにしている。
【００４３】
そして、この追焚運転では、上述の暖房運転と同様に、熱電併給装置１が運転中であると、貯湯開閉弁２７と断続弁３４とを開弁状態で開度調整しながら、冷却水循環ポンプ３５の作動により熱電併給装置１の排熱を利用して排熱式熱交換器５ａにより加熱された給湯用湯水を追焚用熱交換器７に供給し、熱電併給装置１が運転されていない場合などには、貯湯開閉弁２７を閉弁しかつ断続弁３４を開弁させ、補助加熱手段５ｂにて加熱された給湯用湯水を追焚用熱交換器７に供給して、浴槽１８で要求されている追焚負荷を賄うように構成されている。
【００４４】
前記運転制御部Ｈは、暖房用熱交換器６の漏れ異常を検出するように構成されているので、以下、その構成について説明を加える。
前記運転制御部Ｈは、水位オーバーセンサ４６により膨張タンク４１の熱媒の貯留量の異常上昇の発生を検出すると、暖房ポンプ３９を作動させて、その作動状態における膨張タンク４１内の熱媒の貯留量の変化に基づいて、暖房用熱交換器６の漏れ異常か否かを判別するように構成されている。
そして、運転制御部Ｈは、暖房用熱交換器６の漏れ異常と判別すると、リモコンＲにて使用者に暖房用熱交換器６の漏れ異常であることを報知するように構成されている。
【００４５】
前記暖房用熱交換器６の漏れ異常か否かの判別について説明を加えると、暖房用熱交換器６の漏れ異常が発生した場合には、暖房用熱交換器６において、端末供給用の熱媒を給湯用湯水よりも低圧にしていることから、給湯用湯水が暖房戻り路３７や暖房往き路３８に流入して、膨張タンク４１の熱媒の貯留量が増加し、膨張タンク４１の熱媒の貯留量の異常上昇が発生することになる。
【００４６】
そして、その膨張タンク４１の熱媒の貯留量の異常上昇の発生により暖房ポンプ３９を作動させたときにも、給湯用湯水が暖房戻り路３７や暖房往き路３８に流入する状態が継続され、暖房ポンプ３９を作動させた状態における膨張タンク４１内の熱媒の貯留量は下降しないことになる。
したがって、運転制御部Ｈは、膨張タンク４１の熱媒の貯留量の異常上昇の発生により、暖房ポンプ３９を作動させた状態における膨張タンク４１内の熱媒の貯留量は下降しなければ、暖房用熱交換器６の漏れ異常と判別するように構成されている。
【００４７】
それに対して、暖房戻り路３７や暖房往き路３８への空気の入り込みにより膨張タンク４１の熱媒の貯留量の異常上昇が発生するが、この場合には、膨張タンク４１の熱媒の貯留量の異常上昇の発生により暖房ポンプ３９を作動させると、暖房戻り路３７や暖房往き路３８に入り込んだ空気が熱媒とともに大気開放式の膨張タンク４１に戻されて、暖房戻り路３７や暖房往き路３８に入り込んだ空気を抜くことができ、暖房ポンプ３９を作動させた状態における膨張タンク４１内の熱媒の貯留量が下降することになる。
【００４８】
したがって、運転制御部Ｈは、暖房ポンプ３９を作動させた状態における膨張タンク４１内の熱媒の貯留量の変化を監視することにより、暖房戻り路３７や暖房往き路３８への空気の入り込みにより膨張タンク４１の熱媒の貯留量の異常上昇が発生した場合と区別しながら、暖房用熱交換器６の漏れ異常を的確に判別することができることになる。
【００４９】
前記暖房用熱交換器６の漏れ異常か否かの判別における運転制御部Ｈの制御動作を図３のフローチャートに基づいて説明すると、まず、水位オーバーセンサ４６により膨張タンク４１の熱媒の貯留量の異常上昇が発生しているか否かを判別する（ステップ１）。
そして、膨張タンク４１の熱媒の貯留量の異常上昇が発生していると、暖房ポンプ３９を作動させて、その作動状態における膨張タンク４１内の熱媒の貯留量が低下しなければ、暖房用熱交換器６の漏れ異常と判別して報知するようにしている（ステップ２〜４）。
【００５０】
〔第２実施形態〕
この第２実施形態は、上記第１実施形態における暖房用熱交換器６の漏れ異常か否かの判別についての別実施形態を示すものであり、以下、暖房用熱交換器６の漏れ異常か否かの判別の構成について説明を加える。
なお、その他の構成については、上記第１実施形態と同様であるので、同符号を記すなどにより、その詳細な説明は省略する。
【００５１】
前記運転制御部Ｈは、設定時間が経過するごとに暖房ポンプ３９を作動させて、その作動後から次回作動させるまでの間に、水位オーバーセンサ４６により膨張タンク４１の熱媒の貯留量の異常上昇が発生すると、暖房用熱交換器６の漏れ異常と判別するように構成されている。
【００５２】
説明を加えると、運転制御部Ｈは、設定時間が経過するごとに暖房ポンプ３９を作動させるので、その暖房ポンプ３９の作動により、暖房戻り路３７や暖房往き路３８に入り込んだ空気を熱媒とともに大気開放式の膨張タンク４１に戻して、暖房戻り路３７や暖房往き路３８に入り込んだ空気を抜くことができることになる。
そして、設定時間が経過するごとに暖房戻り路３７や暖房往き路３８に入り込んだ空気を抜くことによって、暖房戻り路３７や暖房往き路３８への空気の入り込みによって膨張タンク４１の熱媒の貯留量の異常上昇が発生することはなく、膨張タンク４１の熱媒の貯留量の異常上昇が発生する原因として、暖房戻り路３７や暖房往き路３８への空気の入り込みを排除することができることになる。
したがって、運転制御部Ｈは、設定時間が経過するごとに暖房ポンプ３９を作動させて、膨張タンク４１の熱媒の貯留量の異常上昇が発生する原因として、暖房戻り路３７や暖房往き路３８への空気の入り込みを排除した状態において、膨張タンク４１の熱媒の貯留量の異常上昇の発生により、熱交換器の漏れ異常と判別するように構成されている。
【００５３】
ちなみに、設定時間については、暖房戻り路３７や暖房往き路３８への空気の入り込みにより膨張タンク４１の熱媒の貯留量の異常上昇が発生するまでの時間よりも短い時間が設定されている。
【００５４】
前記暖房用熱交換器６の漏れ異常か否かの判別における運転制御部Ｈの制御動作を図４のフローチャートに基づいて説明すると、前回暖房ポンプ３９を作動させてから設定時間が経過していると、暖房ポンプ３９を作動させる（ステップ２１，２２）。
そして、暖房ポンプ３９の作動中または作動後にかかわらず、水位オーバーセンサ４６により膨張タンク４１の熱媒の貯留量の異常上昇が発生していると、暖房用熱交換器６の漏れ異常と判別して報知するようにしている（ステップ２３，２４）。
【００５５】
〔別実施形態〕
（１）上記第１および第２実施形態では、熱交換器を暖房用熱交換器６として、その暖房用熱交換器６の漏れ異常を検出するように構成しているが、熱交換器を排熱式熱交換器５ａとして、その排熱式熱交換器５ａの漏れ異常を検出するように構成して実施することも可能である。
また、熱交換器を暖房用熱交換器６と排熱式熱交換器５ａの両方として実施することも可能である。
【００５６】
例えば、上記第１実施形態において、熱交換器を排熱式熱交換器５ａとして、その排熱式熱交換器５ａの漏れ異常を検出する場合には、冷却水用膨張タンク５４に冷却水用膨張タンク５４内の冷却水の貯留量が設定量よりも多量となったり、冷却水用膨張タンク５４から冷却水が漏れる冷却水用膨張タンク５４の冷却水の貯留量の異常上昇の発生を検出する水位オーバーセンサを設ける。
そして、運転制御部Ｈは、水位オーバーセンサにて冷却水用膨張タンク５４の冷却水の貯留量の異常上昇の発生を検出すると、冷却水循環ポンプ３５を作動させて、その作動状態における冷却水用膨張タンク５４内の冷却水の貯留量の変化に基づいて、排熱式熱交換器５ａの漏れ異常か否かを判別するように構成されている。
【００５７】
ちなみに、熱交換器を排熱式熱交換器５ａとして、その排熱式熱交換器５ａの漏れ異常を検出する場合には、熱媒循環路が冷却水循環路３６から構成され、熱媒循環手段が冷却水循環ポンプ３５から構成されることになる。
【００５８】
（２）上記第１および第２実施形態では、膨張タンク４１の熱媒の貯留量の異常上昇の発生を検出する水位オーバーセンサ４６を設けているが、膨張タンク４１の熱媒の貯留量の異常上昇の発生を検出する構成については、圧力式の水位センサを設けたり、上限センサ４４にて兼用したり、膨張タンク４１の下方に設けたセンサにて膨張タンク４１から熱媒が漏れていることを検出するなど、各種の構成が適応可能である。
【００５９】
（３）上記第１および第２実施形態では、本願発明にかかる熱媒供給設備を、暖房用熱交換器６に加えて、追焚用熱交換器７を設けたコージェネレーションシステムに適応した例を示したが、給湯用湯水にて端末供給用の熱媒を加熱する熱交換器を備えたシステムであればよく、暖房用熱交換器６のみを設けたコージェネレーションシステムやその他各種の熱媒暖房設備に適応することができる。
【００６０】
（４）上記第１および第２実施形態では、加熱手段として、ガスエンジンの排熱により給湯用湯水を加熱する排熱式熱交換器５ａと、ガス燃焼式の補助加熱手段５ｂとから構成したものを例示したが、排熱式熱交換器５ａを、燃料電池の排熱により給湯用湯水を加熱するように構成したり、補助加熱手段５ｂを、液体燃料燃焼式のバーナを備えたものや、電気ヒータを備えたものを用いることができ、排熱式熱交換器５ａおよび補助加熱手段５ｂの構成は適宜変更が可能である。
【図面の簡単な説明】
【００６１】
【図１】コージェネレーションシステムの概略構成図
【図２】コージェネレーションシステムの制御ブロック図
【図３】第１実施形態における運転制御部の制御動作を示すフローチャート
【図４】第２実施形態における運転制御部の制御動作を示すフローチャート
【符号の説明】
【００６２】
４                循環路
５ａ              熱交換器
６                熱交換器
３１              循環手段
３５              熱媒循環手段
３６              熱媒循環路
３７，３８        熱媒循環路
３９              熱媒循環手段
４１              膨張タンク
Ｈ                運転制御手段
【図１】
2004251888.tif 000003
【図２】
2004251888.tif 000004
【図３】
2004251888.tif 000005
【図４】
2004251888.tif 000006